(57)【要約】  家電製品用底脚及び家電製品であって、家電製品用底脚は、油圧プレート（１０１）と、前記油圧プレート（１０１）に固定接続されるカバー（１０３）と、カバー（１０３）内に設置されて軸方向に対し移動可能な調整脚（１０４）と、前記油圧プレート（１０１）、カバー（１０３）及び調整脚（１０４）の間に形成される収容室と、前記収容室内に設けられ、圧力の変化に伴って圧縮／膨張することで、調整脚（１０４）をカバー（１０３）内で軸方向に移動させてレベリングを行う油圧媒体（１０２）、を含む。当該家電製品用底脚は、油圧の原理に基づく。水平でないために生じた圧力差により油圧媒体が流動することで、底脚は、家電製品用底脚が平衡を取って油圧媒体の流動が停止し、自動レベリングを実現するまで、自動的且つ適応的に調整される。【選択図】  図１
2020514646.tif 000002
【特許請求の範囲】
【請求項１】
油圧プレートと、
前記油圧プレートに固定接続されるカバーと、
カバー内に設置されて軸方向に対し移動可能な調整脚と、
前記油圧プレート、カバー及び調整脚の間に形成される収容室と、
前記収容室内に設けられ、圧力の変化に伴って圧縮／膨張することで、調整脚をカバー内で軸方向に移動させてレベリングを行う油圧媒体、を含むことを特徴とする家電製品用底脚。
【請求項２】
前記油圧プレートには、家電製品の底板に固定接続される第１装着構造が設けられ、
前記油圧プレートには、カバーに固定接続される第２装着構造が設けられることを特徴とする請求項１に記載の家電製品用底脚。
【請求項３】
前記第１装着構造は、油圧プレートに設けられる第１装着孔であり、前記油圧プレートは、第１接続部材を第１装着孔に挿通することで家電製品の底板に固定接続されることを特徴とする請求項２に記載の家電製品用底脚。
【請求項４】
前記第２装着構造は第２装着孔であり、前記油圧プレートは、第２接続部材を第２装着孔に挿通することでカバーに固定接続されることを特徴とする請求項２又は３に記載の家電製品用底脚。
【請求項５】
前記カバーの上端は外側に折り返されて装着平面を形成し、装着平面は油圧プレートの底面に密着して固定接続され、
前記装着平面には、第２装着孔に対応する第４装着孔が開設されることを特徴とする請求項４に記載の家電製品用底脚。
【請求項６】
前記油圧プレートは四角形の平板構造をなし、
前記カバーの本体は円筒状構造をなし、円筒状構造の上部開口が外側に折り返されて油圧プレートと一致する四角形の装着平面が形成され、
前記油圧プレートの四隅には、少なくとも１つの第２装着構造がそれぞれ設けられ、各装着構造の少なくとも一方の側に第１装着構造が設けられ、
好ましくは、前記油圧プレートの四隅に第２装着孔が１つずつ設けられ、各第２装着孔の両側に第１装着孔がそれぞれ設けられることを特徴とする請求項２〜５のいずれかに記載の家電製品用底脚。
【請求項７】
更に、内部に空洞を有するフレキシブル収容体を含み、前記油圧媒体がフレキシブル収容体に収容され、
前記油圧プレートには、フレキシブル収容体を密封装着する第３装着構造が設けられることを特徴とする請求項２〜６のいずれかに記載の家電製品用底脚。
【請求項８】
前記油圧プレートの内部には液体流路が設けられ、前記フレキシブル収容体は開口部を有し、前記フレキシブル収容体の開口部は、圧縮リングを介して油圧プレートの底面に固定装着されるとともに、液体流路と連通し、
前記第３装着構造は第３装着孔であり、前記圧縮リングは、第３接続部材により第３装着孔に組み付けられることを特徴とする請求項７に記載の家電製品用底脚。
【請求項９】
前記第３装着孔は油圧プレートの中央に設けられ、前記第３装着孔は少なくとも４つあり、それぞれ油圧プレートの四隅に対応して設けられることを特徴とする請求項７に記載の家電製品用底脚。
【請求項１０】
請求項１〜９のいずれかに記載の家電製品用底脚を備える家電製品であって、
連通部材を介して少なくとも２つの家電製品用底脚を連通することで、家電製品用底脚間における油圧媒体の流動が実現されることを特徴とする家電製品。
【発明の詳細な説明】
【技術分野】
【０００１】
本発明は、家電製品の支持及びレベリングの技術分野に関し、具体的には、家電製品用底脚及び家電製品に関する。
【背景技術】
【０００２】
一般的に、家電製品にはハウジングの底部にレベリング装置が設けられており、家電製品の設置時にレベリング装置を調節することで安定した設置状態を実現可能となる。また、レベリングして設置した後、レベリング装置は安定を維持するよう家電製品を支持可能である。
【０００３】
洗濯機の場合を例示すると、一般的に、従来の洗濯機はハウジング又は全体の底部にボルト底脚が装着されている。ボルト底脚は、ボルト、ナットワッシャ及びゴムパッドを含む。ナットワッシャはボルト上で上下に回転可能とされ、ボルトもまたハウジング底板のネジ孔内で上下に回転可能とされる。底板のネジ孔に対するボルト底脚のボルトのねじ込み長さによって洗濯機の高さ調整が実現されるが、大部分の洗濯機では、底脚を反時計回りに回転させることで高さが高くなり、時計回りに回転させることで高さが低くなるよう調整される。当該ボルト底脚の高さを調整したあと、緩み防止用のナットワッシャをしっかりと締めることで安定が維持される。
【０００４】
前記洗濯機の底脚によって洗濯機のレベリングは実現されるものの、ユーザは手動で調節を行わねばならない。そのため、洗濯機の重量が重かったり、設置スペースが狭かったりする場合にはユーザによる操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００５】
例えば、従来の８ＫＧドラム洗濯機は一般的に８０ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００６】
このほか、洗濯機が水平でないことに伴う震動によって底脚のネジが緩み、底脚のブラケットが垂直に移動する場合がある。洗濯機の水平状態はこのような不安定性により変動し、更に強い震動を招来し得る。こうした悪循環によって、洗濯機の使用期間が長くなるほど騒音が大きくなり、洗濯機自体も一定の損傷を受けることから、使用寿命が短縮してしまう。
【０００７】
したがって、従来の洗濯機におけるレベリングには、手動で調節せねばならないため時間と手間がかかり、且つ、精度にも劣るとの課題が存在する。
【０００８】
上記に鑑みて、本発明を提案する。
【発明の概要】
【発明が解決しようとする課題】
【０００９】
上記の課題を解決するために、本発明の第１の目的は、家電製品用底脚を提供することである。具体的には、以下の技術方案を用いる。
【課題を解決するための手段】
【００１０】
家電製品用底脚であって、油圧プレートと、前記油圧プレートに固定接続されるカバーと、カバー内に設置されて軸方向に対し移動可能な調整脚と、前記油圧プレート、カバー及び調整脚の間に形成される収容室と、前記収容室内に設けられ、圧力の変化に伴って圧縮／膨張することで、調整脚をカバー内で軸方向に移動させてレベリングを行う油圧媒体、を含む。
【００１１】
更に、前記油圧プレートには、家電製品の底板に固定接続される第１装着構造が設けられ、前記油圧プレートには、カバーに固定接続される第２装着構造が設けられる。
【００１２】
更に、前記第１装着構造は油圧プレートに設けられる第１装着孔であり、前記油圧プレートは、第１接続部材を第１装着孔に挿通することで家電製品の底板に固定接続される。
【００１３】
更に、前記第２装着構造は第２装着孔であり、前記油圧プレートは、第２接続部材を第２装着孔に挿通することでカバーに固定接続される。
【００１４】
更に、前記カバーの上端は外側に折り返されて装着平面を形成し、装着平面は油圧プレートの底面に密着して固定接続され、前記装着平面には、第２装着孔に対応する第４装着孔が開設される。
【００１５】
更に、前記油圧プレートは四角形の平板構造をなし、前記カバーの本体は円筒状構造をなし、円筒状構造の上部開口が外側に折り返されて油圧プレートと一致する四角形の装着平面が形成され、前記油圧プレートの四隅には、少なくとも１つの第２装着構造がそれぞれ設けられ、各装着構造の少なくとも一方の側に第１装着構造が設けられ、好ましくは、前記油圧プレートの四隅に第２装着孔が１つずつ設けられ、各第２装着孔の両側に第１装着孔がそれぞれ設けられる。
【００１６】
更に、内部に空洞を有するフレキシブル収容体を含み、前記油圧媒体がフレキシブル収容体に収容され、前記油圧プレートには、フレキシブル収容体を密封装着する第３装着構造が設けられる。
【００１７】
更に、前記油圧プレートの内部には液体流路が設けられ、前記フレキシブル収容体は開口部を有し、前記フレキシブル収容体の開口部は、圧縮リングを介して油圧プレートの底面に固定装着されるとともに、液体流路と連通し、前記第３装着構造は第３装着孔であり、前記圧縮リングは、第３接続部材により第３装着孔に組み付けられる。
【００１８】
更に、前記第３装着孔は油圧プレートの中央に設けられ、前記第３装着孔は少なくとも４つあり、それぞれ油圧プレートの四隅に対応して設けられる。
【００１９】
本発明の第２の目的は、上記いずれかに記載の家電製品用底脚を備える家電製品を提供することである。連通部材を介して少なくとも２つの家電製品用底脚を連通することで、家電製品用底脚間における油圧媒体の流動が実現される。
【発明の効果】
【００２０】
本発明の家電製品用底脚は、油圧の原理に基づく。水平でないために生じた圧力差により油圧媒体が流動することで、底脚は、家電製品用底脚が平衡を取って油圧媒体の流動が停止し、自動レベリングを実現するまで、自動的且つ適応的に調整される。
【００２１】
本発明の家電製品は、上記の家電製品用底脚を用いて自動レベリングを実現するため、装着がシンプル且つ容易であり、家電製品全体の震動及び騒音が低減する。
【図面の簡単な説明】
【００２２】
【図１】図１は、本発明の実施例１にかかる家電製品用底脚の立体構造を示す図である。
【図２】図２は、本発明の実施例１にかかる家電製品用底脚の正面図である。
【図３】図３は、本発明の実施例１にかかる家電製品用底脚の平面図である。
【図４】図４は、本発明の実施例１にかかる家電製品用底脚の図３のＡ−Ａ面に沿う断面図である。
【図５】図５は、本発明の実施例１にかかる家電製品用底脚の図３のＢ−Ｂ面に沿う断面図である。
【図６】図６は、本発明の実施例１にかかる家電製品用底脚の図３のＣ−Ｃ面に沿う断面図である。
【図７】図７は、本発明の実施例１にかかる家電製品用底脚の組立方式１を示す図である。
【図８】図８は、本発明の実施例１にかかる家電製品用底脚の組立方式２を示す図である。
【図９】図９は、本発明の実施例２にかかる家電製品用底脚の動作原理を示す図である。
【図１０】図１０は、本発明の実施例２にかかる家電製品用底脚群の構造を示す図である。
【図１１】図１１は、本発明の実施例２にかかる家電製品用底脚群の断面図である。
【図１２】図１２は、本発明の実施例２にかかる家電製品用底脚におけるスロットル構造の実施形態１の部分拡大図である。
【図１３】図１３は、本発明の実施例２にかかる家電製品用底脚におけるスロットル構造の実施形態２の部分拡大図である。
【図１４】図１４は、本発明の実施例３にかかる家電製品用底脚の動作原理を示す図である。
【図１５】図１５は、本発明の実施例３にかかる家電製品用底脚群の構造を示す図である。
【図１６】図１６は、本発明の実施例３にかかる家電製品用底脚群の断面図である。
【図１７】図１７は、本発明の実施例３にかかる家電製品用底脚におけるスロットル構造の実施形態１の部分拡大図である。
【図１８】図１８は、本発明の実施例３にかかる家電製品用底脚におけるスロットル構造の実施形態２の部分拡大図である。
【図１９】図１９は、本発明の実施例３にかかる家電製品用底脚におけるスロットル構造の実施形態３の部分拡大図である。
【図２０】図２０は、本発明の実施例４にかかる家電製品用底脚群の構造を示す図である。
【図２１】図２１は、本発明の実施例４にかかる家電製品用底脚群の断面図である。
【発明を実施するための形態】
【００２３】
以下に、図面を組み合わせて、本発明における家電製品用底脚及び家電製品につき詳細に述べる。
【実施例１】
【００２４】
図１〜８に示すように、本実施例における家電製品用底脚は、油圧プレート１０１と、前記油圧プレート１０１に固定接続されるカバー１０３と、カバー１０３内に設置されて軸方向に対し移動可能な調整脚１０４と、前記油圧プレート１０１、カバー１０３及び調整脚１０４の間に形成される収容室と、前記収容室内に設けられる油圧媒体１０２を含む。圧力の変化に伴って前記油圧媒体が圧縮／膨張することで、調整脚１０４がカバー１０３内で軸方向に移動してレベリングを行う。
【００２５】
本実施例における家電製品用底脚は、油圧の原理に基づく。水平でないために生じた圧力差により油圧媒体が流動することで、調整脚は、家電製品用底脚が平衡を取って油圧媒体の流動が停止し、自動レベリングを実現するまで、自動的且つ適応的に調整される。
【００２６】
本実施例における家電製品用底脚は、前記油圧プレート１０１に、家電製品の底板に固定接続される第１装着構造が設けられている。また、前記油圧プレートには、カバーに固定接続される第２装着構造が設けられている。
【００２７】
本実施例では、調整脚１０４を軸方向に移動可能にカバー１０３に嵌設してから、第２装着構造によって油圧プレート１０１をカバー１０３に固定接続することで、家電製品用底脚単体の組み立てを実現する。そして、組み立てを完了した家電製品用底脚全体を、第１装着構造によって家電製品の底板に装着することで、家電製品に対する家電製品用底脚の装着を実現する。
【００２８】
本実施例では、第２装着構造により家電製品用底脚の組み立てを実現し、第１装着構造により家電製品に対する家電製品用底脚の装着を実現する。このように、別々の装着構造によって対応する装着を実現することから、家電製品用底脚全体の安定性と、家電製品に対する装着の安定性が確保される。
【００２９】
本実施例における家電製品用底脚は、油圧プレート１０１を家電製品の底部に直に固定し、且つ、カバー１０３と油圧プレート１０１を固定接続している。このように、油圧プレート１０１が家電製品の底部とカバー１０３により挟まれるため、油圧プレート１０１とカバー１０３との固定接続強度は必須ではない。これらの接続は、一体的な底脚とすることが主な目的のため、接続箇所の強度は、家電製品の重力の大きさや調整脚１０４の支持力の大きさに関係しない。そのため、本発明の家電製品用底脚によれば、油圧プレート１０１とカバー１０３の迅速且つ確実な固定接続を実現可能である。且つ、これらの接続強度に対する要求が低下するため、接続に要するスペースや高さを更に抑えられる。
【００３０】
上述したように、本実施例の家電製品用底脚は構造がよりシンプルとなる。また、装着もいっそう容易となり、より良好な安定性を有する。
【００３１】
また、本実施例における家電製品用底脚の構造設計によれば、全体の高さを低下させられるため、家電製品がより良好な制震効果を有する。例えば、洗濯機の場合、本発明の家電製品用底脚は、洗濯機の脱水時における震動に対しより良好な制震効果を有する。
【００３２】
本実施例の好ましい実施形態として、前記第１装着構造は、油圧プレートに設けられる第１装着孔１０１３である。前記油圧プレート１０１は、第１接続部材を第１装着孔１０１３に挿通することで、家電製品の底板に固定接続される。
【００３３】
具体的に、本実施例で記載する第１装着孔１０１３はネジ孔であり、前記第１接続部材はネジである。前記家電製品の底板には、ネジを挿通するための装着孔が設けられている。前記ネジが底板の装着孔を貫通して油圧プレート１０１のネジ孔に装着されることで、固定接続が実現される。
【００３４】
具体的に、本実施例で記載する第２装着構造は第２装着孔１０１２である。前記油圧プレートは、第２接続部材を第２装着孔に挿通することでカバーに固定接続される。
【００３５】
更に、本実施例で記載するカバー１０３の上端は、外側に折り返されて装着平面１０３２を形成している。装着平面１０３２は、油圧プレート１０１の底面に密着して固定接続される。前記装着平面１０３２には、第２装着孔１０１２に対応する第４装着孔が開設されている。
【００３６】
本実施例では、カバー１０３の装着平面１０３２を油圧プレート１０１に密着させる。これにより、より多くの圧力を装着平面１０３２に伝達して分散させられるため、油圧プレート１０１が過剰な圧力を受けるとの事態が回避される。油圧プレート１０１の内部には、油圧媒体が流動する液体流路が備わっている。油圧プレート１０１の安定性は、家電製品用底脚全体のレベリングの要となる。本実施例では、装着平面１０３２がカバー１０３の上端から外側に折り返されて形成されるため、カバー１０３と油圧プレート１０１との装着接触面が拡大する。よって、油圧プレート１０１からカバー１０３の装着平面１０３２に対する力の伝達の安定性及び分散性にいっそう有利となる。
【００３７】
また、カバー１０３の装着平面１０３２と油圧プレート１０１は密着により固定接続される。そのため、カバー１０３又は油圧プレート１０１に装着構造を設計する必要がなく、家電製品用底脚の全体構造が低くなる。
【００３８】
更に、本実施例で記載する装着平面１０３２の外輪郭は油圧プレート１０１の外輪郭と一致しており、前記装着平面１０３２と油圧プレート１０１の底面が密着して固定接続される。これにより、油圧プレート１０１にかかる圧力を対応するカバー１０３の装着平面１０３２に対しより良好に伝達可能となるため、油圧プレート１０１が部分的に装着平面１０３２に支持されないことで応力が集中するとの事態が回避される。よって、油圧プレート内における油圧媒体の安定的な流動にいっそう有利となる。
【００３９】
好ましくは、本実施例で記載する油圧プレート１０１の外輪郭は、装着平面１０３２の外輪郭と類似又は同一である。この場合、両者を対応させるだけでよいため、装着がよりシンプル且つ容易となる。
【００４０】
具体的に、本実施例で記載するカバー１０３は、内部が中空のスリーブ部を含む。調整脚１０４は一端がスリーブ部内に嵌設され、軸方向に対し移動可能である。前記スリーブ部の上端は外側に折り返されて装着平面１０３２を形成しており、装着平面１０３２と油圧プレート１０１の底面が密着して固定接続される。本実施例の装着平面１０３２はスリーブ部の上端が外側に折り返されて形成され、調整脚１０４はカバー１０３内で軸方向に移動する。且つ、カバー１０３全体を拡大するのではなく、装着平面部分の面積だけを拡大しているため、材料の節約となり、コストが低下する。
【００４１】
具体的に、本実施例で記載する油圧プレート１０１は四角形の平板構造をなしており、前記スリーブ部は円筒状構造をなしている。また、円筒状構造の上端は、外側に折り返されて油圧プレートと一致する四角形の装着平面１０３２を形成している。前記四角形の平板構造は、四角形の装着平面に密着して固定接続される。
【００４２】
具体的に、本実施例で記載する油圧プレートの四隅には、少なくとも１つの第２装着構造がそれぞれ設けられ、各装着構造の少なくとも一方の側に第１装着構造が設けられる。
【００４３】
好ましくは、前記油圧プレート１０１の四隅に第２装着孔１０１２が１つずつ設けられ、各第２装着孔１０１２の両側に第１装着孔１０１３がそれぞれ設けられる。
【００４４】
本実施例では、家電製品用底脚の構造及び装着特性に応じ、第１装着孔１０１３を第２装着孔１０１２よりも多く設けることで家電製品に対する装着の安定性を確保している。第１装着孔１０１３は、第２装着孔１０１２の両側に分布するよう設けられる。これにより、家電製品の全体重量がより均一に油圧プレート１０１に分散するため、油圧プレートの一部に応力が集中して破損するとの事態が回避される。
【００４５】
本実施例の装着方式として、本実施例で記載するカバー１０３と油圧プレート１０１は、係接、又は接着、又は熱溶融、又は溶接といった方式で固定接続してから家電製品の底部に装着してもよい。
【００４６】
本実施例の油圧プレート１０１は、プラスチックを一体的に射出成形するか、金属をダイカストして形成される。また、前記カバー１０３は、プラスチックを一体的に射出成形するか、金属材料をダイカストして形成される。
【００４７】
本実施例における家電製品用底脚が受ける力の特性に応じて、好ましくは、前記油圧プレート１０１はプラスチックを一体的に射出成形して形成され、前記カバー１０３は金属をダイカストして形成される。カバー１０３は大きな力を受けるため、金属をダイカストすることで強度を保証する。これにより、本実施例の家電製品用底脚は、製造コストを更に抑えつつ、全体強度を保証可能となる。
【００４８】
家電製品の重力の一部は底板を通じて油圧プレート１０１にＦ１を付与するが、油圧プレート１０１の平面は、受けた力をカバー１０３の装着平面１０３２に伝達可能である。また、油圧プレート１０１の内部において、油圧を調整脚１０４に伝達することで、調整脚１０４が同様に支持面からの支持力Ｆ２を受ける。このとき、Ｆ１＝Ｆ２である。そして、調整脚１０４からの力が油圧プレート１０１の平面に伝達されると、油圧プレート１０１はこれを家電製品の底板に伝達する。このような設計によれば、油圧プレート１０１は、内部の液体流路からの圧力、洗濯機の重力の一部及び調整脚１０４の支持力を受けるが、いずれもカバー１０３の装着平面１０３２、調整脚１０４及び家電製品の底板に伝達される。
【００４９】
本実施例の好ましい実施形態として、本実施例の家電製品用底脚は、内部に空洞を有するフレキシブル収容体１０８を更に含み、前記油圧媒体がフレキシブル収容体１０８内に収容される。前記油圧プレート１０１には、フレキシブル収容体１０８を密封装着する第３装着構造が設けられている。
【００５０】
具体的に、前記油圧プレート１０１の内部には液体流路が設けられており、前記フレキシブル収容体１０８は開口部を有する。前記フレキシブル収容体１０８の開口部は、圧縮リング１０６を介して油圧プレート１０１の底面に固定装着されるとともに、液体流路と連通する。前記第３装着構造は第３装着孔１０１６であり、前記圧縮リング１０６は、第３接続部材により第３装着孔１０１６に組み付けられる。
【００５１】
更に、本実施例で記載する第３装着孔１０１６は油圧プレートの中央に設けられる。前記第３装着孔１０１６は少なくとも４つあり、それぞれ油圧プレート１０１の四隅に対応して設けられる。
【００５２】
本実施例の好ましい実施形態として、本実施例で記載するフレキシブル収容体１０８の開口部は、圧縮リング１０６を介して油圧プレート１０１の底面に固定装着される。圧縮リング１０６は、油圧プレート１０１とともに開口部を押圧して変形させ、密封する。本実施例では、圧縮リング１０６により開口部を変形させて密封するため、いっそうシンプル且つ容易であり、密封効果も良好となる。
【００５３】
更に、前記フレキシブル収容体１０８は小径部を含み、小径部の端部が外側に折り返されて開口部を形成する。前記圧縮リング１０６は小径部に覆設される。圧縮リング１０６は、油圧プレート１０１とともに開口部を押圧して変形させ、密封する。本実施例では、フレキシブル収容体１０８の密封装着時に、小径部を圧縮リング１０６に嵌設してから、圧縮リング１０６を固定装着し、緊締過程において圧縮リング１０６で開口部を押圧するだけで密封装着を実現可能である。
【００５４】
本実施例の一実施形態として、前記油圧プレート１０１の底面には油圧プレート凹溝が設けられる。前記フレキシブル収容体１０８の開口部は、圧縮リング１０６により押圧されて変形し、油圧プレート凹溝に押し込まれることで密封される。このような方式によれば、圧縮リング１０６を緊締してフレキシブル収容体１０８の開口部を押圧により変形させ、油圧プレート凹溝内に押し込むことで密封を実現可能である。本構造はシンプルであり、密封が確実且つ効果的となる。
【００５５】
好ましくは、前記油圧プレート凹溝と圧縮リング１０６により取り囲まれる容積が、フレキシブル収容体１０８の開口部の体積よりも小さい。これにより、フレキシブル収容体１０８の開口部と油圧プレート凹溝がしっかりと接触するため、密封性が確保される。
【００５６】
本実施例の圧縮リング１０６は、固定装置により油圧プレート１０１に固定される。具体的には、ボルト／ネジにより固定接続可能である。前記圧縮リング１０６には圧縮リング装着孔が開設されており、前記ボルト／ネジを圧縮リング装着孔に挿通することで、油圧プレート１０１の第３装着孔１０１６に緊締する。
【００５７】
本実施例のフレキシブル収容体１０８は収容本体１０８１を含む。収容本体１０８１は軟性の袋状構造をなしており、伸縮可能なコルゲート構造を有する。コルゲート構造は調整脚１０４内に設けられ、油圧媒体の流動に伴い伸縮することで、調整脚１０４がカバー１０３内で軸方向に移動してレベリングを行う。
【００５８】
本実施例の家電製品用底脚は、フレキシブル収容体１０８を保護する保護リング１０７を更に含み、前記圧縮リング１０６が保護リング１０７内に嵌設される。これにより、次のような技術的効果を有する。
【００５９】
１．本実施例の圧縮リング１０６と保護リング１０７は組み込み式で装着されるため、位置規制作用を奏することが可能である。よって、複雑な位置規制構造を設ける必要がなく、シンプル且つ安定的となる。
【００６０】
２．本実施例の家電製品用底脚は、極めて大きな衝撃や圧力を受けた場合（例えば、当該家電製品用底脚を装着して使用する家電製品又は物品が落下したり、持ち上げられて突然放置されたりした場合）、保護リング１０７とフレキシブル収容体１０８の圧着面には全く隙間が存在しないため、これによりフレキシブル収容体１０８が膨張して破裂する等の問題が回避される。よって、信頼性が向上する。
【００６１】
３．本実施例の圧縮リング１０６と保護リング１０７は組み込み式で装着されるため、圧縮リング１０６と保護リング１０７の装着高さが低下する。これにより、家電製品用底脚の全体高さが低下し、家電製品への装着時に全体の重心に及ぼす影響が小さくなるため、家電製品の支持の安定性にいっそう有利となる。また、家電製品の動作過程における震動（例えば、洗濯機の脱水時の震動）に対しより良好な制震効果を有する。
【００６２】
本実施例の好ましい実施形態として、前記保護リング１０７の一端には保護曲面１０７２が設けられている。保護曲面１０７２は、フレキシブル収容体１０８が圧力を受けて破損しないよう、フレキシブル収容体１０８の外部表面に係合する。
【００６３】
本実施例における保護リング１０７の他端には嵌入溝１０７１が設けられ、前記圧縮リング１０６が保護リング１０７の嵌入溝１０７１に嵌入する。
【００６４】
本実施例の好ましい実施形態として、前記保護リング１０７の嵌入溝１０７１の内壁には位置規制凸部が設けられ、前記固定部材には、位置規制凸部と係合する位置規制凹部が設けられる。本実施例の位置規制構造は、圧縮リング１０６と保護リング１０７の組み込み式装着に応じて設計され、嵌入及び装着と同時に運動の位置規制を実現する。本構造はシンプルであり、安定的且つ確実である。
【００６５】
本実施例の嵌入溝１０７１の深さは、圧縮リング１０６の厚さよりも大きい。これにより、圧縮リング１０６が完全に嵌入溝１０７１内に嵌入し、装着高さが最大限低下するため、家電製品用底脚の全体高さが低下する。且つ、家電製品用底脚が水平でない状態では、フレキシブル収容体１０８にかかる圧力に差ができるため、油圧媒体が流動する。そして、フレキシブル収容体１０８が伸縮することで、調整脚１０４がカバー１０３内で軸方向に運動し、レベリングを行う。フレキシブル収容体１０８の伸縮は自ずと保護リング１０７に作用するため、保護リング１０７は、嵌入溝１０７１と圧縮リング１０６との嵌入により規定されつつ、軸方向に移動する。
【００６６】
本実施例の構造設計によれば、保護リング１０７の外周が前記圧縮リング１０６を完全に取り囲み、保護リング１０７のみが調整脚１０４に圧入されるため、確実性及び密着の安定性が極めて大きく向上する。このように、本実施例の保護リング１０７は、調整脚１０４に圧入されたあと、調整脚１０４内で終始安定的に軸方向に移動する。よって、移動が円滑且つ確実となり、家電製品用底脚全体の更なる安定性が実現される。また、保護リング１０７と圧縮リング１０６は、上下に一定の遊びを有してもよい。
【００６７】
本実施例における家電製品用底脚のカバー１０３及び／又は調整脚１０４には、カバー１０３に対する調整脚１０４の周方向の回動を規制するための案内位置規制機構が設けられる。また、前記油圧プレート１０１には、案内位置規制機構に対応して退避口１０１１が設けられる。
【００６８】
本実施例の家電製品用底脚による油圧の原理を利用した家電製品の自動レベリングはシンプル且つ確実である。調整脚１０４は軸方向に対し移動可能にカバー１０３内に設置されるが、家電製品の調節は上下方向に限られる。そこで、レベリングの安定性を保証するために、カバー１０３に対する調整脚１０４の回動を規定する必要がある。よって、本実施例の案内位置規制機構は、調整脚１０４がカバー１０３に対し所望の方向に運動するよう規定する。
【００６９】
一般的に、家電製品（例えば、洗濯機）の動作時には震動が発生する。家電製品の稼働の安定性を保証するために、本実施例の家電製品用底脚は、家電製品の重心を下げるべく、全体の高さを可能な限り低下させる必要がある。そこで、本実施例では、油圧プレート１０１に、案内位置規制機構に対応して退避口１０１１を設けている。これにより、案内位置規制機構の設置を可能としながら、調整脚１０４の軸方向の移動に影響することなく家電製品用底脚の全体高さを低下させられるため、制震時の安定性が向上する。具体的に、前記案内位置規制機構は、カバーの内壁に設けられる案内位置規制凹溝／案内位置規制凸部と、これに応じて調整脚の外壁に設けられる案内位置規制凸部／案内位置規制凹溝を含む。前記案内位置規制凸部は、カバーに対する調整脚の周方向の回動を規制するよう、相対的に摺動可能に案内位置規制凹溝内に設けられる。本実施例では、案内位置規制凹溝と案内位置規制凸部の連携によって調整脚１０４の軸方向の移動を規定可能であり、構造がシンプル且つ確実である。
【００７０】
本実施例における前記退避口１０１１は、調整脚１０４の案内位置規制凸部／案内位置規制凹溝に対応して設けられる。調整脚１０４が油圧プレート１０１に向かって運動すると、調整脚１０４の案内位置規制凸部／案内位置規制凹溝の一端が退避口１０１１に進入する。本実施例で対象とする調整脚１０４の軸方向の移動について、案内位置規制機構がどのような機構であるかに関わらず、退避部は調整脚１０４の案内位置規制凸部／案内位置規制凹溝に対応するよう設ければよい。よって、調節高さを変更することなく、家電製品用底脚の全体高さが低下し、且つ、案内位置規制の安定性が保証される。
【００７１】
本実施例の好ましい実施形態として、前記カバー１０３の内壁には、軸方向に案内位置規制凹溝１０３１が設けられ、前記調整脚１０４の外壁に案内位置規制凸部が設けられる。前記案内位置規制凸部は、カバー１０３に対する調整脚１０４の周方向の回動を規制するよう、相対的に摺動可能に案内位置規制凹溝１０３１内に設けられる。
【００７２】
本実施例で記載する退避口１０１１は、案内位置規制凸部に対応して油圧プレート１０１に設けられる。前記調整脚１０４がカバー１０３内で軸方向に上下に移動すると、案内位置規制凸部の一端が退避口１０１１に対し進入／進出する。
【００７３】
このように、本実施例の家電製品用底脚は、案内位置規制凸部の一端が退避口１０１１に対し進入／進出することから、同じ全体高さのままで、より大きな調節高さを持つことができる。また、同じ調節高さであっても、本実施例の家電製品用底脚はより小さな全体高さを持つことができる。
【００７４】
本実施例の好ましい実施形態として、前記案内位置規制凸部は、第１案内位置規制片１０４１と第２案内位置規制片１０４２を含む。第１案内位置規制片１０４１は調整脚１０４の外壁に固定される。また、第２案内位置規制片１０４２は第１案内位置規制片１０４１に固定され、油圧プレート１０１に向かって一定の高さだけ延伸する。本実施例の第１案内位置規制片１０４１は、主に、案内位置規制凹溝１０３１内で案内位置規制の作用を奏する。また、第２案内位置規制片１０４２は、第１案内位置規制片１０４１を延長したものに相当するため、より良好な案内位置規制の安定性が備わる。
【００７５】
本実施例の好ましい実施形態として、前記案内位置規制機構は複数あり、それぞれカバー１０３及び／又は調整脚１０４の周方向に分布している。また、前記油圧プレート１０１には、案内位置規制機構に対応して複数の退避口１０１１が設けられる。このように、複数の案内位置規制機構を設けることで位置規制の安定性が更に増すため、より良好な案内位置規制効果が備わる。
【００７６】
本実施例では、カバー１０３内での調整脚１０４の上下運動を実現しつつ、周方向の回転を防止するよう、カバー１０３の円周上に一定数の案内位置規制凹溝１０３１を設けている。数量をＮとすると、Ｎ≧１である。本発明の図示の場合、好ましくは４つとする。
【００７７】
また、調整脚１０４の円周上には、対応する案内位置規制凸部が設けられる。数量をＮとすると、Ｎ≧１である。本発明の図示の場合、好ましくは４つとする。案内位置規制凸部は案内位置規制溝内で運動可能であり、案内位置規制凹溝１０３１の底部における当止端部１０３３で位置規制される。これにより、カバー１０３からの調整脚１０４の脱落が防止される。
【００７８】
家電製品用底脚の高さをできるだけ低下させ、より良好な安定性を実現するために、原理上は、調節高さＨ０を低下させることなく、カバー１０３、調整脚１０４の高さを可能な限り低下させられる。特に、カバーと調整脚が重なる部分である図中のＨ１を減少させられる。しかし、Ｈ１があまりに小さいと、調整脚１０４に対するカバー１０３の位置規制作用が低下し、調整脚３００が偏る等の問題が発生する。
【実施例２】
【００７９】
図１〜８、図２０及び図２１に示すように、本実施例における家電製品用底脚は、油圧プレート１０１と、前記油圧プレート１０１に固定接続されるカバー１０３と、カバー１０３内に設置されて軸方向に対し移動可能な調整脚１０４と、前記油圧プレート１０１、カバー１０３及び調整脚１０４の間に形成される収容室と、前記収容室内に設けられる油圧媒体１０２を含む。圧力の変化に伴って前記油圧媒体が圧縮／膨張することで、調整脚がカバー内で軸方向に移動してレベリングを行う。
【００８０】
前記家電製品用底脚の全体高さｈ、横方向の長さＤは、装着される家電製品の規格パラメータに基づきそれぞれ決定する。
【００８１】
本実施例における家電製品用底脚は、油圧の原理に基づく。水平でないために生じた圧力差により油圧媒体が流動することで、調整脚は、家電製品用底脚が平衡を取って油圧媒体の流動が停止し、自動レベリングを実現するまで、自動的且つ適応的に調整される。
【００８２】
膨大な実践の結果、本実施例の家電製品用底脚による家電製品に対するレベリング効果は、全体高さｈ、横方向の長さＤの２つのパラメータにより大部分が決定されることが分かった。全体高さｈが低くなるほど家電製品全体の重心を効果的に下げることができ、レベリング効果がより良好となる。また、横方向の長さＤが大きくなるほど家電製品に対する支持の安定性が増し、レベリング効果もより良好となる。また、横方向の長さＤが大きくなるほど、前記油圧プレート１０１、カバー１０３及び調整脚１０４の間に形成される収容室スペースを拡大可能なため、より多くの油圧媒体を収容でき、レベリング効果もより良好となる。しかし、家電製品用底脚の全体高さｈ、横方向の長さＤは大きいほどよいとは限らず、製造、装着、コスト等の要素によっても決定される。そのため、本実施例の家電製品用底脚の全体高さｈ、横方向の長さＤは、装着される家電製品の規格パラメータに基づきそれぞれ決定され、家電製品の規格パラメータより、最適な全体高さｈと横方向の長さＤが決定される。
【００８３】
また、更なる研究の結果、本実施例の家電製品用底脚による調節効果は、全体高さｈと横方向の長さＤの比ｈ／Ｄにより決定されることが分かった。具体的に、前記家電製品用底脚の全体高さｈ、横方向の長さＤ及び家電製品の重量ｍの間には、ｈ／Ｄがｍに反比例するとの関係が存在する。
【００８４】
本実施例の好ましい実施形態として、前記家電製品用底脚の全体高さｈ、横方向の長さＤは、０＜ｈ／Ｄ≦１０を満たし、好ましくは、０．１≦ｈ／Ｄ≦１、より好ましくは、０．４≦ｈ／Ｄ≦０．８とする。
【００８５】
本実施例で限定する家電製品用底脚のｈ／Ｄの範囲であれば、９６％の家電製品についてレベリング要求を満たし得るため、良好なレベリング効果を有する。また、製造、装着が容易であり、且つ低コストである。よって、本実施例におけるｈ／Ｄの範囲で生産される家電製品用底脚を標準部材とし、各家電製品に応用すれば、市場拡大にいっそう有利となる。
【００８６】
本実施例の好ましい実施形態として、本実施例における前記家電製品用底脚の全体高さｈは、調整脚がカバーから完全に伸出したときの調整脚とカバーとの高さの和である。
【００８７】
好ましくは、前記家電製品用底脚の全体高さｈは、５ｍｍ≦ｈ≦１００ｍｍを満たす。より好ましくは、前記家電製品用底脚の全体高さｈは、２５±１５ｍｍである。
【００８８】
本実施例で限定する家電製品用底脚の全体高さｈの範囲であれば、９６％の家電製品についてレベリング要求を満たし得るため、良好なレベリング効果を有する。また、製造、装着が容易であり、且つ低コストである。
【００８９】
本実施例の好ましい実施形態として、前記カバー１０３の本体は円筒状構造をなし、前記調整脚１０４は円筒状構造の内部に嵌設されて軸方向に移動可能である。また、前記家電製品用底脚の横方向の長さＤはカバーの直径である。
【００９０】
好ましくは、前記家電製品用底脚の横方向の長さＤは、５ｍｍ≦Ｄ≦５９０ｍｍを満たす。より好ましくは、前記家電製品用底脚の横方向の長さＤは、５０±３０ｍｍである。
【００９１】
本実施例で限定する家電製品用底脚の横方向の長さＤの範囲であれば、９６％の家電製品についてレベリング要求を満たし得るため、良好なレベリング効果を有する。また、製造、装着が容易であり、且つ低コストである。
【００９２】
更に、本実施例における前記調整脚１０４は筒状構造をなす。前記調整脚１０４の直径をｄとすると、５ｍｍ≦ｄ≦５９０ｍｍを満たす。
【００９３】
好ましくは、前記調整脚１０４の直径ｄは、５０±３０ｍｍである。
【００９４】
本実施例における調整脚１０４の直径ｄが取る値の範囲によれば、より良好な支持の安定性を提供可能となる。
【００９５】
本実施例の好ましい実施形態として、油圧パイプを介して少なくとも２つの家電製品用底脚を連通することで、家電製品用底脚間における油圧媒体の流動を実現する。前記油圧パイプの直径をｄ１とすると、０．５ｍｍ≦ｄ１≦ｈを満たす。好ましくは、前記油圧パイプの直径ｄ１は１０±９ｍｍである。
【００９６】
本実施例における油圧パイプの直径ｄ１によれば、油圧媒体の流速を低下させられるため、より良好な調節安定性能が備わる。また、家電製品が突然圧力を受けた場合であってもより良好な緩衝が可能なため、家電製品用底脚の破損が回避され、使用寿命が延びる。
【００９７】
本実施例における前記２つの家電製品用底脚は、油圧パイプを介して連通されることで家電製品用底脚群を構成する。前記家電製品用底脚群の全体長さは、家電製品の幅以上である。
【００９８】
本実施例の好ましい実施形態として、前記家電製品は洗濯機である。前記家電製品用底脚の全体高さｈ、横方向の長さＤ及び洗濯機の容量Ｖの間には、ｈ／ＤがＶに反比例するとの関係が存在する。洗濯機の場合、支持の安定性には主に質量が影響し、質量は主に洗濯機の容量Ｖにより決定される。
【００９９】
本実施例で限定する家電製品用底脚のパラメータの範囲であれば、家電製品のレベリング要求を満たし得るため、良好なレベリング効果を有する。また、製造、装着が容易であり、且つ低コストである。よって、本実施例の家電製品用底脚を標準部材として各家電製品に応用すれば、市場拡大にいっそう有利となる。
【実施例３】
【０１００】
図９〜１３に示すように、本実施例における家電製品用底脚は、油圧プレート１０１と、前記油圧プレート１０１に固定接続されるカバー１０３と、カバー１０３内に設置されて軸方向に対し移動可能な調整脚１０４と、前記油圧プレート１０１、カバー１０３及び調整脚１０４の間に形成される収容室と、前記収容室内に設けられる油圧媒体を含む。圧力の変化に伴って前記油圧媒体が圧縮／膨張することで、調整脚１０４がカバー１０３内で軸方向に移動してレベリングを行う。
【０１０１】
前記油圧プレート１０１内には、油圧媒体の流速を緩やかにするスロットル構造５００が設けられている。
【０１０２】
本実施例における家電製品用底脚は、油圧の原理に基づく。水平でないために生じた圧力差により油圧媒体が流動することで、調整脚は、家電製品用底脚が平衡を取って油圧媒体の流動が停止し、自動レベリングを実現するまで、自動的且つ適応的に調整される。
【０１０３】
本実施例における家電製品用底脚は、油圧プレート内にスロットル構造５００が設けられており、油圧媒体の急速な流動が回避されるため、調節過程がより安定的となる。また、家電製品用底脚にかかる圧力が大きく変化する場合には、スロットル構造５００で良好に緩衝可能なことから、油圧媒体が突如として急速に流動することで家電製品用底脚が破損するとの事態が回避される。
【０１０４】
本実施例の一実施形態として、前記スロットル構造５００は油圧プレート内に設けられたスロットル流路である。スロットル流路は油圧媒体の流動減衰力を増すことで、油圧媒体の流速を緩やかにする。
【０１０５】
図１２に示すように、具体的に、本実施例の前記油圧プレート１０１には、油圧媒体を流出させる油圧ノズル１０１４が設けられる。また、前記スロットル流路は、第１スロットル流路５０１と第２スロットル流路５０２を含む。第１スロットル流路５０１は、一端が収容室に連通し、他端が第２スロットル流路５０２に連通する。また、第２スロットル流路５０２は油圧ノズル１０１４に連通する。
【０１０６】
本実施例の好ましい実施形態として、前記第１スロットル流路５０１の直径は、第２スロットル流路５０２の直径よりも大きい。
【０１０７】
図１３に示すように、本実施例の好ましい実施形態として、前記第１スロットル流路５０１と第２スロットル流路５０２の連通箇所にはオリフィス５０３が設けられる。前記オリフィスの直径は、第１スロットル流路、第２スロットル流路よりも小さい。
【０１０８】
油圧プレート１０１は厚みが小さいため、油圧プレート１０１の内部にスロットル流路を設けることは生産技術的に難しい。特に、長さが長く、直径の小さなスロットル流路については困難である。このような場合には、生産が難しく、工程が複雑化するほか、高コストとなり、且つ生産効率が低いとの問題が生じる。しかし、本方式では、オリフィスを用いて流量制御を実現している。これによれば、スロットル流路の直径に対する制限が緩和され、スロットル流路の直径を相対的に大きくできるため、生産が容易である。また、流量制御の効果は弱くなるものの、オリフィス箇所の流量制御効果については比較的しっかりしている。
【０１０９】
このように、本実施例の家電製品用底脚はオリフィス形式で流量制御を実現するため、生産工程が容易となるだけでなく、流量制御効果も良好であり、油圧底脚がより安定的且つ確実となる。
【０１１０】
具体的に、本実施例では、前記第１スロットル流路５０１のうち第２スロットル流路５０２と連通する一端の直径を縮小することでオリフィス５０３を形成する。或いは、前記第２スロットル流路５０２のうち第１スロットル流路５０１と連通する一端の直径を縮小することでオリフィス５０３を形成する。
【０１１１】
流量制御効果を実現するために、本実施例で記載するスロットル流路の最小直径ｄはｄ≦６ｍｍを満たし、好ましくはｄ≦２ｍｍ、より好ましくはｄ≦１ｍｍとする。
【０１１２】
具体的には、前記第２スロットル流路５０２の直径を最小直径ｄとするか、前記オリフィスの孔径を最小直径ｄとする。
【０１１３】
本実施例の好ましい実施形態として、前記油圧プレート１０１内には、油圧媒体が流動する液体流路が設けられる。前記スロットル構造５００は液体流路内に設けられ、油圧媒体の流動減衰力を増すことで油圧媒体の流速を緩やかにする。このとき、スロットル構造は、ストップリングやストッパ等の液体流路内に固定されて内径を縮小する構造とすればよい。
【０１１４】
本実施例の家電製品用底脚は、内部に空洞を有するフレキシブル収容体を更に含み、前記油圧媒体がフレキシブル収容体に収容される。前記フレキシブル収容体は開口部を有する。前記フレキシブル収容体の開口部は、油圧プレートに固定装着されてスロットル流路又は液体流路と連通する。
【０１１５】
本実施例における家電製品用底脚のスロットル構造は、更に、圧力を安定させるとの作用を奏し得る。例えば、洗濯機の洗浄又は脱水時に、ぐらつきや底脚に対する負荷の変動が生じた場合には、油圧媒体がスロットル構造を通過することで油圧及び流速が低下する。これにより、洗濯機の動作プログラム過程で油圧の変動が相対的に小さくなるため、油圧の変動に起因して調整脚の動作幅が過剰に大きくなるということがない。よって、洗濯機が安定するよう効果的な自動調節が実現されるとともに、洗濯機の振動や騒音が更に低減する。
【実施例４】
【０１１６】
図１４〜１９に示すように、本実施例における家電製品用底脚は、油圧プレート１０１と、前記油圧プレート１０１に固定接続されるカバー１０３と、カバー１０３内に設置されて軸方向に対し移動可能な調整脚１０４と、前記油圧プレート１０１、カバー１０３及び調整脚１０４の間に形成される収容室と、前記収容室内に設けられ、圧力の変化に伴って圧縮／膨張することで、調整脚１０４をカバー１０３内で軸方向に移動させてレベリングを行う油圧媒体と、少なくとも２つの家電製品用底脚を連通することで、家電製品用底脚間における油圧媒体の流動を実現する連通装置、を含む。前記連通装置内には、油圧媒体の流速を緩やかにするスロットル構造３００が設けられている。
【０１１７】
本実施例における家電製品用底脚は、油圧の原理に基づく。水平でないために生じた圧力差により油圧媒体が流動することで、調整脚は、家電製品用底脚が平衡を取って油圧媒体の流動が停止し、自動レベリングを実現するまで、自動的且つ適応的に調整される。
【０１１８】
本実施例の家電製品用底脚は連通装置を介して連通しているため、油圧媒体が家電製品用底脚間で流動可能となり、自動レベリングが実現される。本実施例では、連通装置内にスロットル構造３００が設けられており、油圧媒体が家電製品用底脚間で急速に流動するとの事態が回避されるため、調節過程がより安定的となる。また、家電製品用底脚にかかる圧力が大きく変化する場合には、スロットル構造３００で良好に緩衝可能なことから、油圧媒体が突如として急速に流動することで家電製品用底脚が破損するとの事態が回避される。
【０１１９】
本実施例の一実施形態として、前記連通装置は油圧パイプ２００と連通部材４００を含む。少なくとも２つの家電製品用底脚は、それぞれ油圧パイプ２００を介して同一の連通部材４００に接続されることで連通を実現する。前記スロットル構造３００は連通部材４００内に設けられる。油圧パイプ２００が細すぎると、これに接続される油圧ノズルの直径も小さくなる。また、油圧ノズルの直径が小さ過ぎると、強度要求を満たしにくくなる。そのため、本実施例では、スロットル構造３００を連通部材４００内に設けることで生産・製造をより容易とし、コストを低下させている。
【０１２０】
具体的に、本実施例で記載する連通部材４００内にはスロットル流路が設けられる。スロットル流路の両端には油圧パイプ２００がそれぞれ連通している。前記スロットル流路は、油圧媒体の流動減衰力を増すことで油圧媒体の流速を緩やかにする。
【０１２１】
本実施例の前記スロットル流路の直径は、これと連通する前記油圧パイプ２００の直径よりも小さい。或いは、前記スロットル流路は、オリフィス３０３を形成するよう直径縮小部を含む。
【０１２２】
具体的には、図１７に示すように、本実施例の連通部材４００内には第３スロットル流路３０１が設けられる。第３スロットル流路３０１の両端はそれぞれ貫通しており、油圧パイプ２００の２つの油圧ノズルに接続される。前記第３スロットル流路３０１の内径は、流量制御効果を実現するよう、油圧パイプ２００の内径よりも遥かに小さい。
【０１２３】
或いは、図１８、１９に示すように、本実施例の連通部材４００内には第４スロットル流路３０２が設けられる。第４スロットル流路３０２の両端はそれぞれ貫通しており、油圧パイプ２００の２つの油圧ノズルに接続される。第４スロットル流路３０２の内径は、油圧パイプ２００の内径よりもやや小さい。また、第４スロットル流路３０２は、オリフィス３０３を形成するよう直径縮小部を有している。
【０１２４】
連通部材４００内にスロットル流路を設ける場合には、生産工程が難しくなる。特に、長さが長く、直径の小さなスロットル流路については困難である。このような場合には、生産が難しく、工程が複雑化するほか、高コストとなり、且つ生産効率が低いとの問題が生じる。しかし、本方式では、オリフィスを用いて流量制御を実現している。これによれば、スロットル流路の直径に対する制限が緩和され、スロットル流路の直径を相対的に大きくできるため、生産が容易である。また、流量制御の効果は弱くなるものの、オリフィス箇所の流量制御効果については比較的しっかりしている。
【０１２５】
更に、前記連通部材４００には油圧媒体を注入する注入口４０４が設けられ、注入口４０４に密封装置が密封装着されている。前記スロットル流路は前記注入口に連通している。
【０１２６】
図１８に示すように、本実施例で記載するスロットル流路のうち注入口４０４と連通する位置には、直径を縮小することでオリフィス３０３が形成される。
【０１２７】
或いは、図１９に示すように、前記注入口４０４の一方の側のスロットル流路の中央には、直径を縮小することでオリフィス３０３が形成される。
【０１２８】
本実施例の好ましい実施形態として、前記注入口４０４はネジ孔である。また、前記密封装置はボルト４０３とパッキン４０２を含む。前記ボルト４０３はネジ孔４０４に装着され、パッキン４０２がボルト４０３とネジ孔の間に設けられて密封接続する。
【０１２９】
本実施例の注入口には座ぐり構造を用いている。座ぐり構造の開口端には凹溝４０１が設けられ、前記パッキン４０２が凹溝４０１内に設けられる。
【０１３０】
好ましくは、本実施例で記載するスロットル流路の最小直径ｄはｄ≦６ｍｍを満たし、好ましくはｄ≦２ｍｍ、より好ましくはｄ≦１ｍｍとする。
【０１３１】
本実施例の一実施形態として、前記油圧プレートには、油圧媒体を流出させる油圧ノズルが設けられる。また、２つの家電製品用底脚が油圧パイプを介して連通する。前記油圧パイプの直径は油圧ノズルの直径よりも小さく、油圧媒体の流動減衰力を増すことで油圧媒体の流速を緩やかにする。また、本実施例では、油圧パイプの直径を縮小することで流量制御の目的を実現してもよい。
【０１３２】
本実施例の一実施形態として、前記連通装置４００内には、油圧媒体が流動する液体流路が設けられる。前記スロットル構造は液体流路内に設けられ、油圧媒体の流動減衰力を増すことで油圧媒体の流速を緩やかにする。このとき、スロットル構造は、ストップリングやストッパ等の液体流路内に固定されて内径を縮小する構造とすればよい。
【実施例５】
【０１３３】
本実施例の家電製品用底脚は、内部にスロットル流路が設けられる油圧プレート１０１と、油圧プレート１０１に固定接続されるカバー１０３と、カバー１０３内に設置されて軸方向に対し移動可能な調整脚１０４と、前記油圧プレート１０１、カバー１０３及び調整脚１０４の間に形成される収容室と、内部に油圧媒体が収容され、前記収容室内に設けられるフレキシブル収容体１０８を含む。圧力が作用すると、前記フレキシブル収容体１０８が伸縮することで調整脚１０４がカバー１０３内で軸方向に移動し、レベリングを行う。また、調整脚１０４の底部に固定されるゴムガスケット１０５を更に含む。ゴムガスケット１０５の底部には筋が設計されているため、地面に対する摩擦力が向上し、安定性が強化される。
【実施例６】
【０１３４】
本実施例は、上述したいずれかの実施例で述べた家電製品用底脚を備える家電製品を提供する。当該家電製品はハウジングを含み、ハウジングの底部に複数の前記家電製品用底脚が装着される。家電製品用底脚１００の内部に充填される油圧媒体が、家電製品用底脚間で流動することでレベリングが可能となる。
【０１３５】
好ましくは、連通装置を介して少なくとも２つの家電製品用底脚１００を連通することで、家電製品用底脚間における油圧媒体の流動を実現する。
【０１３６】
本発明の実施例では洗濯機の場合を例示し、本発明の家電製品用底脚により洗濯機の自動レベリングを実現する際の原理と方法について詳述する。洗濯機を取り付けたあと、地面が水平でない場合には、家電製品用底脚各々の水平高さが異なり、地面の窪みに位置する家電製品用底脚の位置が低くなる。これから明らかなように、まずは高位置にある家電製品用底脚が洗濯機の重量を受け、且つ、大きな重力を受けるが、低位置にある家電製品用底脚は機能しないか、小さな重力を受ける。
【０１３７】
高位置にある家電製品用底脚の調整脚は大きな圧力がかかって上方に変位するため、底脚の高さ全体が縮小し、油圧媒体が充満したフレキシブル収容体の中空室の容積が圧縮により縮小する。これにより、油圧媒体がオリフィス又は弁孔に進入し、高圧配管を通じて低位置の家電製品用底脚内に進入する。すると、低位置の家電製品用底脚におけるフレキシブル収容体の油圧媒体が増え続け、フレキシブル収容体が膨張することで調整脚を伸長させる。
【０１３８】
高位置の底脚と低位置の底脚の油圧が同等となると、油圧媒体は高圧配管からそれ以上流動しなくなり、調整脚と洗濯機の底板との相対位置もそれ以上変化しなくなる。このようにして、洗濯機の自動調整が完了する。
【０１３９】
洗濯機の洗浄又は脱水の過程においても、油圧媒体は緩やかに流動して自動レベリングを実施可能なため、洗濯機の震動による騒音が大幅に軽減される。
【０１４０】
本実施例の油圧媒体には、流動性が良好で成分の安定した作動油を利用可能である。
【０１４１】
また、本発明の上記各実施例における家電製品用底脚は、例えば、冷蔵庫、冷凍庫、エアコン室内機といった洗濯機以外の家電製品にも応用可能である。
【０１４２】
なお、本発明の上記各実施例は単独で実施してもよいし、複数の実施例を組み合わせて実施してもよい。
【０１４３】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【０１４４】
１００    家電製品用底脚
１０１    油圧プレート
１０１１  退避口
１０１２  第２装着孔
１０１３  第１装着孔
１０１４  油圧ノズル
１０１５  脱落防止突起
１０１６  第３装着孔
１０１７  油圧プレート凹溝
１０２    油圧媒体
１０３    カバー
１０３１  案内位置規制凹溝
１０３２  装着平面
１０３３  当止端部
１０４    調整脚
１０４１  第１案内位置規制片
１０４２  第２案内位置規制片
１０５    ゴムガスケット
１０６    圧縮リング
１０７    保護リング
１０７１  嵌入溝
１０７２  保護曲面
１０８    フレキシブル収容体
１０８１  収容本体
２００    油圧パイプ
３００    スロットル構造
３０１    第３スロットル流路
３０２    第４スロットル流路
３０３    オリフィス
４００    連通部材
４０１    凹溝
４０２    パッキン
４０３    ボルト
４０４    注入口
５００    スロットル構造
５０１    第１スロットル流路
５０２    第２スロットル流路
５０３    オリフィス
【図１】
2020514646.tif 000003
【図２】
2020514646.tif 000004
【図３】
2020514646.tif 000005
【図４】
2020514646.tif 000006
【図５】
2020514646.tif 000007
【図６】
2020514646.tif 000008
【図７】
2020514646.tif 000009
【図８】
2020514646.tif 000010
【図９】
2020514646.tif 000011
【図１０】
2020514646.tif 000012
【図１１】
2020514646.tif 000013
【図１２】
2020514646.tif 000014
【図１３】
2020514646.tif 000015
【図１４】
2020514646.tif 000016
【図１５】
2020514646.tif 000017
【図１６】
2020514646.tif 000018
【図１７】
2020514646.tif 000019
【図１８】
2020514646.tif 000020
【図１９】
2020514646.tif 000021
【図２０】
2020514646.tif 000022
【図２１】
2020514646.tif 000023
【国際調査報告】
2020514646.tif 000024
2020514646.tif 000025
2020514646.tif 000026
2020514646.tif 000027